(57)【要約】【課題】  対物レンズを設置する箇所のスペースが制限されている場合であっても、複数の対物レンズを搭載することができ且つ対物レンズの切り替え操作に伴う対物レンズとステージとの干渉を回避する。【解決手段】  対物レンズ支持部材７９を水平面内で回動させることにより２つの対物レンズ２８Ａ、２８Ｂを選択的に切替えて使用することができる。高倍率の対物レンズ２８Ｂはステージ１３から離間した退避位置をとることができ、この退避位置でロックすることができる。これによりステージ１３の下面とのクリアランスが僅かな対物レンズ２８Ｂがステージ１３と干渉するのを防止する。【選択図】  図１７
2006337643.tif 000002
【特許請求の範囲】
【請求項１】
蛍光顕微鏡に含まれる要素を包囲するケースと、
標本を載置するステージ回りを遮光する開閉可能な標本カバーと、
前記ステージに隣接して配置された倍率の異なる複数の対物レンズとを備え、該複数の対物レンズから所望の対物レンズを選択的に観察位置に位置決めすることのできる蛍光顕微鏡であって、
前記複数の対物レンズが取り付け可能な対物レンズ支持部を先端に備えた対物レンズ支持部材と、
該対物レンズ支持部材の基端部を片持ち状に支持し且つ該対物レンズ支持部材を前記ステージと平行な平面内で回動可能に支持する、Ｚ軸方向に微調整可能なベースブロックとを有し、
前記複数の対物レンズのうち、少なくとも相対的に高倍率の対物レンズが、前記ステージに接近した観察位置と前記ステージからＺ軸方向に離間した退避位置とに変位可能であることを特徴とする蛍光顕微鏡。
【請求項２】
前記対物レンズを前記観察位置に向けて付勢するバネ手段を更に有する、請求項１に記載の蛍光顕微鏡。
【請求項３】
前記対物レンズ支持部材の胴部に一体的に設けられるホルダと、
該ホルダに形成されたガイド溝と、
前記ガイド溝に受け入れられた案内ピンであって、前記対物レンズ支持部材に設けられた案内ピンとを有し、
前記ガイド溝が上下方向に延びる縦溝部分と、該縦溝部分の上端及び／又は下端から横方向に延びる横溝とを有し、前記案内ピンが前記縦溝部分で案内されることにより前記相対的に高倍率の対物レンズの前記観察位置と前記退避位置との間で変位し、前記案内ピンが前記横溝部分に位置することにより前記相対的に高倍率の対物レンズが該観察位置又は前記退避位置でロックされる、請求項２に記載の蛍光顕微鏡。
【請求項４】
前記ホルダに設けられ且つ径方向外方に突出する操作レバーを更に有し、
該操作レバーをマニュアル操作することにより、前記相対的に高倍率の対物レンズを前記観察位置又は前記退避位置まで上昇又は下降させることができる、請求項３に記載の蛍光顕微鏡。
【請求項５】
蛍光顕微鏡に含まれる要素を包囲するケースと、
標本を載置するステージ回りを遮光する開閉可能な標本カバーと、
前記ステージに隣接して配置された倍率の異なる２つの対物レンズとを備え、該２つの対物レンズを切り替えて使用することのできる蛍光顕微鏡であって、
前記２つの対物レンズを搭載可能な対物レンズ支持部を先端に備えた対物レンズ支持部材と、
該対物レンズ支持部材の基端部を片持ち状に支持し且つ該対物レンズ支持部材を前記ステージと平行な平面内で回動可能に支持する、Ｚ軸方向に微調整可能なベースブロックと、
前記対物レンズ支持部材が前記ステージと平行な平面内で回動することにより第１、第２の２つの位置に位置決め可能であり、第１の位置で前記第１の対物レンズが観察位置をとり、第２の位置で前記第２の対物レンズが観察位置をとり、
前記複数の対物レンズのうち、少なくとも相対的に高倍率の対物レンズが、前記ステージに接近した観察位置と前記ステージからＺ軸方向に離間した退避位置とに変位可能であることを特徴とする蛍光顕微鏡。
【請求項６】
前記第１、第２の位置で対物レンズ支持部材が位置決めされる位置が微調整可能である、請求項５に記載の蛍光顕微鏡。
【請求項７】
前記対物レンズ支持部材の回動中心を挟んで、前記対物レンズ支持部材と前記ベースブロックとの間に張設された引っ張りバネを更に有し、
前記対物レンズ支持部材が回動して前記引っ張りバネが前記対物レンズ支持部材の回動中心を通過することにより前記対物レンズ支持部材を前記第１又は前記第２の位置の方向に付勢する、請求項５に記載の蛍光顕微鏡。
【請求項８】
該対物レンズ支持部材が、前記ベースブロックの縦壁と衝合することにより前記ステージと平行な平面内で第１、第２の２つの位置に位置決めされて、第１の位置で前記第１の対物レンズが観察位置をとり、第２の位置で前記第２の対物レンズが観察位置をとる、請求項５〜７のいずれか一項に記載の蛍光顕微鏡。
【請求項９】
前記蛍光顕微鏡が倒立型顕微鏡であり、
前記対物レンズの下方且つ隣接して配置され、複数のフィルタカセットから所望のフィルタカセットに切り替る電動フィルタ切替機構を更に有する、請求項８に記載の蛍光顕微鏡。
【発明の詳細な説明】
【技術分野】
【０００１】
この発明は蛍光顕微鏡に関し、より詳しくは、蛍光顕微鏡に含まれる全ての構成要素がケースで包囲された形式のものに関する。
【背景技術】
【０００２】
顕微鏡の一種として、標本が発する蛍光を観察する蛍光顕微鏡が知られている。蛍光顕微鏡は、対物レンズをステージの上方に配置した正立型と、対物レンズをステージの下方に配置した倒立型とが存在している。蛍光顕微鏡の基本構成は、励起光を標本に照射する落射照明部と、標本が発した蛍光を結像させて観察する蛍光観察部とを含み、蛍光観察部は、人間の目で観察するための接眼光学系及び／又はＣＣＤカメラなどの撮像部とからなり、落射照明部からの励起光はフィルタを介して標本に照射される。
【０００３】
ところで、蛍光顕微鏡は、これまで暗室に設置して暗室内で蛍光観察を行うのが一般的であったが、近年は、蛍光顕微鏡に付設した撮像部の画像をＣＲＴやＬＣＤなどの画像表示装置に表示させて観察したりパーソナルコンピュータで画像データを処理することが多くなっている。
【０００４】
このような使用形態では、暗室でのパーソナルコンピュータの操作は何かと不便である等の問題があるのに加えて、ＣＲＴなどが発する光が蛍光顕微鏡のステージ回りに侵入して蛍光像の質を低下させる原因になる可能性がある。このような問題点を解消するために、特許文献１は、標本を載置するステージ及び対物レンズの回りを遮光する壁を設けることを提案している。この提案によれば、蛍光観察するために暗室内で作業する必要が無くなるという利点がある。
【０００５】
暗室無しで使用できる蛍光顕微鏡として、株式会社キーエンスが販売するオールインワン形式の蛍光顕微鏡（ＢＺー８０００）が知られている。このオールインワン蛍光顕微鏡は、パーソナルコンピュータに連結することでモニタを通じて蛍光観察することができるものであるが、蛍光顕微鏡に含まれる構成要素がケースで包囲されており、また、ステージ回りを遮光する標本カバーによってステージ回りが暗室状態になる。このオールインワン蛍光顕微鏡では、ステージの下方且つこれに隣接して配置された対物レンズは一つである。
【０００６】
オールインワン形式の蛍光顕微鏡は、蛍光顕微鏡の構成要素がケースで包囲されており、単にケーブルでパーソナルコンピュータに接続するだけで暗室無しに蛍光観察できるという、これまでにない形式であるため業界から注目されている。この公知のオールインワン蛍光顕微鏡に組み込むことのできる対物レンズは一つであることから、ユーザ側のニーズとして、倍率が異なる複数の対物レンズを搭載して倍率を変えて観察するときの利便性を高めて欲しいという要請がある。
【０００７】
特許文献２には、対物レンズの切替機構としてリボルバ方式が開示されている。図示の対物レンズ・リボルバはＺ軸から傾斜して配置され、リボルバを回転させることで対物レンズの切替えが可能である。
【０００８】
他の対物レンズ切替機構として、特許文献３に開示の対物レンズ切替機構は、Ｚ軸方向に延びる軸線を中心として回転可能なホルダを有し、このホルダに２本の対物レンズが搭載され、ホルダを回転させることにより所望の対物レンズを観察位置にセットすることができるようになっている。
【０００９】
また、特許文献３は、対物レンズをＺ軸方向に微調整するための機構を開示しており、この特許文献３の微調整機構は、対物レンズの下端に形成されたネジ部と螺合する中間リングを介して対物レンズをホルダに固定し、中間リングをホルダに対してＺ軸方向に変位させることにより、対物レンズをＺ軸方向に微調整するようになっている。
【特許文献１】特開２００２−２０７１７７号公報
【特許文献２】特開平６−１６７６５４号公報
【特許文献３】特開２００４−１３１６２号公報
【発明の開示】
【発明が解決しようとする課題】
【００１０】
公知のオールインワン蛍光顕微鏡のようにケースの内部に構成部品を高密度に収容した場合、特許文献２に開示のようなリボルバ式の対物レンズ切替機構を組み込むことはスペースの観点から無理がある。また、特許文献３のようなＺ軸方向に延びる軸線を中心に回転可能なホルダは、これを搭載するために必要なスペースが小さいため好ましいと言えるが、特許文献３に添付の図１からも理解できるように、高さ寸法が大きい対物レンズの頂部とステージと間の隙間が僅かであるため対物レンズの切り替え操作に伴って対物レンズがステージと干渉してしまう虞がある。
【００１１】
本発明の目的は、公知のオールインワン蛍光顕微鏡のように構成要素がケースで覆われ、また、対物レンズを設置する箇所のスペースが制限されている場合であっても、複数の対物レンズを搭載することができ且つ対物レンズの切り替え操作に伴う対物レンズとステージとの干渉を回避することのできる蛍光顕微鏡を提供することにある。
【課題を解決するための手段】
【００１２】
上記の技術的課題は、本発明によれば、
蛍光顕微鏡に含まれる要素を包囲するケースと、
標本を載置するステージ回りを遮光する開閉可能な標本カバーと、
前記ステージに隣接して配置された倍率の異なる複数の対物レンズとを備え、該複数の対物レンズから所望の対物レンズを選択的に観察位置に位置決めすることのできる蛍光顕微鏡であって、
前記複数の対物レンズが取り付け可能な対物レンズ支持部を先端に備えた対物レンズ支持部材と、
該対物レンズ支持部材の基端部を片持ち状に支持し且つ該対物レンズ支持部材を前記ステージと平行な平面内で回動可能に支持する、Ｚ軸方向に微調整可能なベースブロックとを有し、
前記複数の対物レンズのうち、少なくとも相対的に高倍率の対物レンズが、その観察位置から前記ステージからＺ軸方向に離間した退避位置に変位可能であることを特徴とする蛍光顕微鏡を提供することにより達成される。
【００１３】
本発明によれば、少なくとも相対的に高倍率の対物レンズがＺ軸方向に離間した退避位置をとることができるようにしてあるため、対物レンズの切り替え操作としてステージと平行な平面内で回転する方式を採用したとしても、ステージと干渉しやすい高倍率の対物レンズをステージから離間した退避位置に変位させることでステージとの干渉の問題を解消することができる。また、本発明にあっては、観察位置にある対物レンズのＺ軸方向の微調整はベースブロックをＺ軸方向に変位させることにより行うようにしてあるため、特許文献３のように対物レンズやその周辺の中間リングなどを操作するのに比べて空間的な制約が比較的小さく、したがってベースブロックのＺ軸方向の微調整をステッピングモータなどの動力源により行う機構を採用することが可能になる。
【００１４】
公知のオールインワン蛍光顕微鏡のように、極めてコンパクトな製品の場合には、ステージ回りに空間的な余裕が殆ど無く、したがって対物レンズを退却させるのに、これを電動化することは難しく、手動に委ねざるを得ない。このような場合の好適な構成としては、前記対物レンズを前記観察位置に向けて付勢するバネ手段を更に有すると共に、
前記対物レンズ支持部材の胴部に一体的に設けられるホルダと、
該ホルダに形成されたガイド溝と、
前記ガイド溝に受け入れられた案内ピンであって、前記対物レンズ支持部材に設けられた案内ピンとを有し、
前記ガイド溝が上下方向に延びる縦溝部分と、該縦溝部分の上端及び／又は下端から横方向に延びる横溝とを有し、前記案内ピンが前記縦溝部分で案内されることにより前記相対的に高倍率の対物レンズの前記観察位置と前記退避位置との間で変位し、前記案内ピンが前記横溝部分に位置することにより前記相対的に高倍率の対物レンズが該観察位置又は前記退避位置でロックされる構成を採用するのが好ましい。
【発明を実施するための最良の形態】
【００１５】
図１は、倒立型蛍光顕微鏡の外観を示す斜視図である。図１において、倒立型蛍光顕微鏡１は、ケース２の前面に標本カバー３を有する。標本カバー３は、図１の位置つまり閉じた状態で標本の回りを暗室状態にすることができ、暗室無しであっても遮光した状態で蛍光観察を行うことができる。そして、標本カバー３を、その下のケース２の一部を実質的に構成する脱着可能な下部カバー４に沿って下方に変位させることで標本の出し入れを行うことができる。図１の参照符号５はケース２の側壁に形成された通気口を示す。
【００１６】
倒立型蛍光顕微鏡１は、ケース２の内部に、明視野透過照明系、落射照明系、撮像系の他に、電源ユニット、電源基板、コントローラなどが搭載されている。倒立型蛍光顕微鏡１は、図２に示すように、パーソナルコンピュータＰＣを介してモニタ６に接続することで、このモニタ６を使って観察することができ、また、キーボード７、マウス８を用いてユーザが各種の操作や設定を行うことができる。
【００１７】
図３は、蛍光顕微鏡１に含まれる明視野透過照明系、落射照明系、撮像系の全体構成を示す。図３において、参照符号１０は明視野透過照明系を示し、１１は落射照明系を示し、１２は撮像系を示す。明視野透過照明系１０は、ステージ１３の高さ位置よりも上レベルに配置され、落射照明系１１及び撮像系１２は、ステージ１３の高さ位置よりも下レベルに配置されている。
【００１８】
透過光による観察を行うのに用いられる明視野透過照明系１０は、光源として典型的にはハロゲンランプからなる透過照明用ランプ１５を有し、ハロゲンランプ１５は水平方向に向けて配置されている。このハロゲンランプ１５から出射された光は、傾斜ミラー１７によって垂直方向下方に差し向けられ、コンデンサレンズ（図示せず）を通ってステージ１３上の標本Ｓを照射する。
【００１９】
蛍光による観察を行うのに用いられる落射照明系１１は、典型的には水銀ランプからなる落射照明用ランプ２０を有し、水銀ランプ２０は水平方向に向けて配置されている。この水銀ランプ２０から出射された光は、熱吸収フィルタ部２１、コレクタレンズを通り、次いで励起フィルタを透過して特定の短い波長帯域の励起光とされた後に、傾斜したダイクロイックミラーによって標本Ｓに向けて垂直方向上方に差し向けられ、対物レンズ２８を通って標本Ｓを下方から照射する。
【００２０】
上記の励起フィルタ及びダイクロイックミラーはフィルタカセット２２に組み込まれており、撮像系１２は、フィルタカセット２２の真下に配置された撮像用ミラー３０と、この撮像用ミラー３０に臨んで水平方向に延びる撮像筒の端に取り付けられた撮像装置３２（例えばＣＣＤカメラ）とを含む。
【００２１】
透過照明系１０と落射照明系１１とは選択的に用いられる。透過照明系１０が選択されたときには、水平方向に向けて配置されたハロゲンランプ１５が出射した透過照明光は傾斜ミラー１７で反射されて標本Ｓを上方から照明し、この透過照明光１６によって得られた標本Ｓの像は、対物レンズ２８、フィルタカセット２２のダイクロイックミラー、吸収フィルタ、撮像用ミラー３０などを通って、水平方向に向けて配置されたＣＣＤカメラ３２に取り込まれる。
【００２２】
他方、落射照明系１１が選択されたときには、水平方向に向けて配置された水銀ランプ２０が出射した光は、熱吸収フィルタ、コレクタレンズ、フィルタカセット２２の励起フィルタ及びダイクロイックミラーを通り、対物レンズ２８を通って標本Ｓを下方から励起光を照射する。前処理により標本Ｓに含ませた蛍光物質は励起光を受けて蛍光を放射する。この蛍光による像は、対物レンズ２８、ダイクロイックミラー、吸収フィルタなどを経てＣＣＤカメラ３２に取り込まれる。
【００２３】
図１の蛍光顕微鏡１は、その骨格として、図４に示すシャーシ３５を有し、シャーシ３５は上側シャーシ３６と下側シャーシ３７との２分割構造を有する。上側シャーシ３６及び下側シャーシ３７は共に軽量且つ熱膨張率が比較的小さいアルミニウム合金のダイキャスト品又は鋳物品ある。上側シャーシ３６には透過照明系１０が配設され（図４では透過照明系１０が搭載される前の状態を図示してある。）、下側シャーシ３７には、落射照明系１１及び撮像系１２が配設される。また、シャーシ３５の内部には、コントローラ、電源基板などの各種の基板の他に、透過照明系１０の側部と、透過照明系１０と落射照明系１１との間に各種の電源ユニットが搭載される（図３参照）。例えば、上側シャーシ３６の一側部には電源ユニット４２が設けられ、この電源ユニット４２によって透過照明系１０のハロゲンランプ１５に電源が供給される。シャーシ３５の後面には、図３に示すように、３つの電動ファンユニット３８が上下に間隔を隔てて取り付けられている。シャーシ３５の内部で発生する熱、例えば、大量の熱を発生するハロゲンランプ１５、水銀ランプ２０、各種の電源ユニット、モータ等から出る熱は、シャーシ３５の後方から外部に強制的に排出される。
【００２４】
図４に見られるように、シャーシ３５の側壁には数多くの開口３５ａが形成されている。これらの開口３５ａは、軽量化のため、部品の組み付けのためであり、また、前述した通気項５に対応して外気導入のために設けられている。
【００２５】
図４には、対物レンズ２８の下方且つ隣接して配置された回転式の電動フィルタカセット切替機構が図示されている。この電動フィルタカセット切替機構は、４つの特性の異なるフィルタカセット２２を脱着可能に搭載する水平円板２６を有し、この水平円板２６には、フィルタカセット２２が互いに等間隔（９０°間隔）に配置される。水平円板２６は、これに関連した電動モータにより回転駆動され、これにより所望の特性のフィルタカセット２２が選択的に観察位置にセットされる。
【００２６】
上側シャーシ３６の上端部には、幅方向中央部分に、透過照明系１０のユニット５０が搭載される。図５は透過照明ユニット５０の斜視図である。透過照明ユニット５０は、水平方向に延びる透過照明ハウジング５１を有し、透過照明ハウジング５１には先に説明したハロゲンランプ１５、このハロゲンランプ１５の前方に隣接して配置された熱吸収フィルタが内蔵される。透過照明ハウジング５１の前端部の上部には、ハウジング５１を横断する方向に延びるピボット軸５２が回転自在に設けられ、このピボット軸５２には、透過照明用光学ユニット５４が取り付られている。透過照明光学ユニット５４は、ピボット軸５２を中心に上方に回動することができる（図６）。透過照明光学ユニット５４は、傾斜ミラー１７、コンデンサレンズ５６等を含む。透過照明光学ユニット５４は、また、横方向にスライド可能なプレート５７を有し、ユーザが手動でプレート５７を操作することにより、位相観察と明視野観察の各観察用のユニットが選択可能である。
【００２７】
ピボット軸５２の一端にはリンク５８を介してダンパ５９が取り付けられ、このダンパ５９の基端は透過照明ハウジング５１の後端に回動可能に取り付けられている。ユーザが指で透過照明光学ユニット５４を上方に持ち上げる力を加えるとダンパ５９によって静かに上方に向けて回動動作を行い、ほぼ４５度傾斜した跳ね上げ位置（図６、図７）を取ることができる。逆に、図６、図７に図示の跳ね上げ位置の透過照明光学ユニット５４を下方に押し下げる力を加えるとダンパ５９によって静かに下方に向けて回動動作を行い、図５及びこれに対応する図１の正規位置に戻る。図５、図６に示す参照符号６０は近接スイッチである。近接スイッチ６０は透過照明光学ユニット５４の跳ね上がり位置と正規位置とを検出するセンサとして機能し、透過照明光学ユニット５４の跳ね上げ位置（図６、図７）を検出すると、この近接スイッチ６０の出力信号によりハロゲンランプ１５を強制的に消灯し、又は、最小光量まで下げる制御が行われる。
【００２８】
このように、透過照明系１０の光源１５を横向きに配置したことに蛍光顕微鏡１の高さ寸法を大幅に小さくすることが可能になるだけでなく、跳ね上げよる透過照明光学ユニット５４の退避動作を採用することが可能になる。透過照明光学ユニット５４が正規位置から約４５度上方に回動した跳ね上げ位置（図７）をとることにより、透過照明光学ユニット５４をステージ１３や対物レンズ２８から遠ざけることができる。ユーザは、透過照明光学ユニット５４を跳ね上げ位置に変位させると共に、標本カバー３を下方に変位させてステージ１３を露出させることにより、標本Ｓの出し入れ、具体的には、標本Ｓを入れたシャーレやプレパラートを出し入れする作業を楽に行うことができる。ステージ１３は、対物レンズ２８が下方から臨む光通過開口を備えたリングプレート１３ａ（図４）が脱着可能になっているが、標本Ｓを収容したシャーレの位置決めのために、シャーレと一緒にリングプレート１３ａをステージ１３に載置するとき等では、透過照明光学ユニット５４を跳ね上げ位置に位置させておくのが都合がよい。
【００２９】
また、透過照明光学ユニット５４を跳ね上げ位置に変位させて透過照明光学ユニット５４を対物レンズ２８から遠ざけることで、ステージ１３回りを掃除するときの作業を楽に行うことができる。また、透過照明光学ユニット５４を正規位置から跳ね上げ位置に変位させるときに、これに連動して、透過照明用光源（ハロゲンランプ）１５を強制的に消灯させたり、最小光量まで下げることにより、ユーザがハロゲンランプ１５からの光を直接受けてまぶしい思いをしてしまうのを防止することができる。
【００３０】
標本カバー３及び下部カバー４に関し、好ましくは、図１等から分かるように、手前側の幅を奥側の幅よりも小さな平面視で台形の横断面を備えている。すなわち、標本カバー３及び下部カバー４は、前方に向けて先細りのテーパ側面を備えており、これにより、例えば平行リンク構造により、標本カバー３を一旦前方且つ下方に移動させ、次いで、下部カバー４の前で、この下部カバー４の外表面に沿って下方移動させることで、標本カバー３を下部カバー４に干渉させることなく、下部カバー４の前面に沿って標本カバー３を下降させることができる。これにより、標本カバー３と下部カバー４とが同じ外形形状であることから外観上の見栄えを向上することができる。
【００３１】
標本カバー３は上方位置、つまり標本カバー３でステージ１３の回りを覆った状態となる。また、標本カバー３の上方域が庇プレート６２によって覆われた状態となり、これにより、ステージ１３の回りは暗室状態となる。水平に延びる庇プレート６２は、実施例では透過照明用光学ユニット５４の下端に固設されているが、変形例として、ケース２に脱着可能に取り付けるようにしてもよい。
【００３２】
庇プレート６２を脱着可能にすることにより、標本Ｓの種類によっては、厳格な遮光が必要でない場合があることから、このような場合には庇プレート６２を取り除いた状態で標本カバー３だけを上方位置つまり閉じ位置に位置させて半暗室状態で標本Ｓの画像を取り込むようにしてもよい。
【００３３】
図４を参照して、対物レンズ２８の上方に隣接して配設されたステージ１３は、光軸を横切るＸ、Ｙ軸方向に個別に移動することができる。また、上下方向（Ｚ軸方向）に関しては、ステージ１３を定置した状態で対物レンズ２８をＺ軸方向に上下方向に移動させることによりステージ１３と対物レンズ２８との相対的な位置の調整が可能である。なお、図４では、線図の錯綜を避けるために対物レンズ２８は一つだけ図示してあるが、後に説明するように対物レンズ２８は２つ隣接して配置され、この２つの対物レンズ２８Ａ、２８Ｂから所望の対物レンズが選択的に観察位置にセットされる。
【００３４】
図８は、対物レンズ２８に関する駆動機構及び２つの対物レンズ２８Ａ、２８Ｂを選択的に観察位置にセットするための機構を示す斜視図であり、図９はその平面図である。図８、図９に示す参照符号７０は垂直方向に延びるガイドを示す。ガイド７０はその２本のガイド溝７０ａ（図９）をＺ軸方向に向けて前述したシャーシ３５に固定されている。図８に示すように、ガイド７０の下端には機構部品を収容したボックス７１が配設され、このボックス７１の下端にステッピングモータ７２が配設され、このステッピングモータ７２によって対物レンズ２８のＺ軸方向の微調整が行われる。
【００３５】
ガイド７０のガイド溝７０ａに沿って垂直方向（Ｚ軸方向）に上下動するスライダ７４には、ベースブロック７５がボルトＢによって固定されている（図１０）。ベースブロック７５はベアリング部７７を有し、このベアリング部７７は、ボールベアリングによって垂直軸７６を中心に水平面内（ステージ１３と平行な平面内）で時計方向及び反時計方向に自在に回転可能である。このベアリング部７７に対して３本のボルト７８を使って対物レンズ支持部材７９が片持ち状に固定される。すなわち、対物レンズ支持部材７９には、その先端部分に後に説明するように倍率の異なる２本の対物レンズ２８Ａ、２８Ｂが搭載されるが、この対物レンズ支持部材７９の基端部分を水平面内で回転自在に支持する取付座として、上記のベースブロック７５のベアリング部７７が機能する。これにより、対物レンズ支持部材７９は垂直軸７６を中心にして水平面内で回動可能である。なお、図１０は対物レンズ支持部材７９を取り付ける前の状態を示している。
【００３６】
対物レンズ支持部材７９には、第１、第２の２つの対物レンズ２８Ａ、２８Ｂが螺着される。図１１は第１対物レンズ２８Ａを示し、図１２は第２対物レンズ２８Ｂを示す。図１１、図１２において、参照符号８０は第１、第２対物レンズ２８Ａ、２８Ｂの基端に形成された雄ネジ部を示し、この雄ネジ部８０を使って対物レンズ支持部材７９に固定される。図１１と図１２を対比すると理解できるように、図１１に図示の第１対物レンズ２８Ａの高さ寸法Ｈ１は図１２の第２対物レンズ２８Ｂの高さ寸法Ｈ２に比べて小さい。当業者であれば理解できるように、高さ寸法の小さい第１対物レンズ２８Ａ（図１１）は相対的に低倍率であり、逆に、大きな高さ寸法の対物レンズ２８Ｂ（図１２）は相対的に高倍率である。ちなみに、図示の第１対物レンズ２８Ａは例えば２０倍長作動距離レンズである、第２対物レンズ２８Ｂは例えば６０倍油浸レンズである。このような対物レンズ２８にあっては、例えば第１対物レンズ２８Ａでは、観察位置にあるときに、第１対物レンズ２８Ａの頂部とステージ１３との間のクリアランスは７〜８mmであり、第２対物レンズ２８Ｂでは、観察位置にあるときに、第２対物レンズ２８Ｂの頂部とステージ１３との間のクリアランスは約0.2mmである。
【００３７】
対物レンズ支持部材７９は、その先端部分つまりベースブロック７５から離れる方向の端部に、横並びに第１、第２対物レンズ２８Ａ、２８Ｂが配列した状態で支持するレンズ支持部７９ａが形成されており（図８）、そして、対物レンズ支持部材７９は、ベースブロック７５との間に設けられた引っ張りバネ８３によって付勢される。より詳しく説明すると、対物レンズ支持部材７９の回動中心である垂直軸７６を挟んで互いに対向して配置された第１、第２の支持ピン８４、８５に引っ張りバネ８３の各端が係止されており、第１支持ピン８４が対物レンズ支持部材７９に立設され、第２支持ピン８５がベースブロック７５に立設されている。これにより、対物レンズ支持部材７９が垂直軸７６を中心に回動して引っ張りバネ８３の中心線が垂直軸７６を通過すると、引っ張りバネ８３は、対物レンズ支持部材７９が回動した方向に付勢することができる。すなわち、対物レンズ支持部材７９とベースブロック７５との間に張設された引っ張りバネ８３に対して垂直軸７６は安息点であり、対物レンズ支持部材７９の回動に伴って引っ張りバネ８３の中心線が垂直軸７６を超えると、この垂直軸７６を超えた側で引っ張り力を発揮するように設定されている。
【００３８】
図９は、対物レンズ支持部材７９を図面に向かって左側に回動させたときの状態を示している。この図９から分かるように、引っ張りバネ８３の中心線が垂直軸７６よりも左側に変位しており、これにより対物レンズ支持部材７９は反時計（左回転）方向に付勢された状態にある。図１３は対物レンズ支持部材７９を右側に回動させたときの状態を示している。この図１３から分かるように、引っ張りバネ８３の中心線が垂直軸７６よりも右側に変位しており、これにより対物レンズ支持部材７９は時計（右回転）方向に付勢された状態にある。
【００３９】
対物レンズ支持部材７９は、第１、第２対物レンズ２８Ａ、２８Ｂを搭載したレンズ支持部７９ａとは反対側の端部７９ｂに第１、第２の突起８６、８７が形成されている（図９）。第１突起８６は、ベースブロック７５の一側面７５ａ（図１０）の下部と衝合する高さ位置に形成され、他方、第２突起８７は、ベースブロックの一側面７５ａに沿って上方に延びる起立壁８８の反対面８８ａ（図９）に対応した高さ位置に形成されている。
【００４０】
第１突起８６及びベースブロック７５の一側面７５ａは、対物レンズ支持部材７９が反時計方向に回動して第１対物レンズ２８Ａを観察位置にセット（図９、図１４）するための第１ストッパー手段及び位置決め手段を構成するものであり、第１突起８６には、好ましくは、第１微調整ボルト９０がナット９１によって固定される。第１微調整ボルト９０は、その金属製の拡大ヘッド９０ａをベースブロック７５の一側面７５ａ側に向けて配設され（図１０）、ナット９１を回転させることにより拡大ヘッド９０ａの突出量を調整することができる。
【００４１】
第２突起８７及び起立壁８８は、対物レンズ支持部材７９が時計方向に回動して第２対物レンズ２８Ｂを観察位置にセット（図１３、図１５）するための第２ストッパー手段及び位置決め手段を構成するものであり、起立壁８８には、好ましくは、第２微調整ボルト９３がナット９４によって固定される。第２微調整ボルト９３は、その金属製の拡大ヘッド９３ａを第２突起８７側に向けて配設され、ナット９４を回転させることにより拡大ヘッド９３ａの突出量を調整することができる。
【００４２】
第１微調整ボルト９０の拡大ヘッド９０ａが衝合する、ベースブロック７５の一側面７５ａの部位には第１永久磁石９６が固設されている（図１０、図１５）。同様に、第２微調整ボルト９３の拡大ヘッド９３ａが衝合する、第２突起８７の側面の部位には第２永久磁石９７が固設されている（図９、図１３）。
【００４３】
図９、図１４を参照して、この図９、図１４は、先に説明したように、対物レンズ支持部材７９を図面に向かって左側に回動させたときの状態を示しており、この状態は第１対物レンズ２８Ａを観察位置にセットした状態にある。このときには、図面から分かるように、第１突起８６がベースブロック７５の一側面７５ａによって受け止められた状態にあり、この状態で第１対物レンズ２８Ａが観察位置に位置決めされるように、ナット９１を使って第１微調整ボルト９０の突出量を調整することができる。この第１対物レンズ２８Ａを観察位置にセットした状態では、ベースブロック７５に設けられた第１永久磁石９６によって第１微調整ボルト９０の拡大ヘッド９０ａが吸着された状態にあり、好ましくは、第１永久磁石９６が第１微調整ボルト９０の拡大ヘッド９０ａを吸着した状態を電気信号に変換して、これにより第１対物レンズ２８Ａが観察位置に位置決めされたことを確認するようにしてもよい。
【００４４】
図１３、図１５を参照して、この図１３、図１５は、対物レンズ支持部材７９を図面に向かって右側に回動させたときの状態を示しており、この状態は第２対物レンズ２８Ｂを観察位置にセットした状態にある。このときには、図面から分かるように、第２突起８７が起立壁８８によって受け止められた状態にあり、この状態で第２対物レンズ２８Ｂが観察位置に位置決めされるように、ナット９４を使って第２微調整ボルト９３の突出量を調整することができる。この第２対物レンズ２８Ｂを観察位置にセットした状態では、第２突起８７に設けられた第２永久磁石９７によって第２微調整ボルト９３の拡大ヘッド９３ａが吸着された状態にあり、好ましくは、第２永久磁石９７が第２微調整ボルト９３の拡大ヘッド９３ａを吸着した状態を電気信号に変換して、これにより第２対物レンズ２８Ｂが観察位置に位置決めされたことを確認するようにしてもよい。
【００４５】
このように第１又は第２の対物レンズ２８Ａ、２８Ｂが観察位置にセットされたときには第１又は第２の永久磁石９６、９７によって固定される。また、第１又は第２の対物レンズ２８Ａ、２８Ｂの観察位置での光軸に関する微調整は、第１又は第２の微調整ボルト９０、９３の突出量を調整することにより行うことができる。
【００４６】
対物レンズ支持部材７９の先端に形成されたレンズ支持部７９ａに対する第１対物レンズ２８Ａの取り付けに関しては、対物レンズ支持部材７９に固定されるリング部材に第１対物レンズ２８Ａを挿入し、該リング部材に形成されたネジ部に対して第１対物レンズ２９Ａの雄ネジ部８０を螺合させることで第１対物レンズ２９Ａを対物レンズ支持部材７９に装着することができる。
【００４７】
図１６はレンズ支持部７９ａの外側ケース部分を取り除いて図示するものであり、第２対物レンズ２８Ｂの取付構造を示すものである。この図１６に示すように、第２対物レンズ２８Ｂはレンズ胴部１００の底部には図１２に図示の雄ネジ部８０が形成されており、このレンズ胴部１００を受け入れる有底の円筒状ホルダ１０１の内周面に形成された雌ネジ部に螺着させることにより第２対物レンズ２８Ｂが円筒状ホルダ１０１に脱着自在に固定される。このホルダ１０１は第２対物レンズ２８Ｂに限らず第１対物レンズ２８Ａなど各種の倍率の対物レンズを受け入れることができるようになっている。したがって、ホルダ１０１には、任意の倍率の対物レンズを装着することができる。
【００４８】
ホルダ１０１は、圧縮スプリング１０２を介してリング１０３にフローティング支持され、リング１０３は対物レンズ支持部材７９のレンジ支持部７９ａに固定される。円筒状ホルダ１０１はガイド溝１０４を有し、ガイド溝１０４は、垂直方向に延びる縦溝部分１０４ａと、この縦溝部分１０４ａの上端から横方向に延びる横溝部分１０４ｂとからなり、このガイド溝１０４には、対物レンズ支持部材７９に螺着された案内ピン１０６が挿通される。案内ピン１０６の先端は第２対物レンズ２８Ｂのレンズ胴部１００に強く圧接される。
【００４９】
上記の構成により、対物レンズ支持部材７９に固定された案内ピン１０６は第２対物レンズ２８Ｂと一体化され、人為的に対物レンズ２８Ｂを圧縮スプリング１０２のバネ力に抗して押し下げると、対物レンズ２８Ｂと実質的に一体化された円筒状ホルダ１０１が下降し、この円筒状ホルダ１０１に形成されたガイド溝１０４に挿通された案内ピン１０６によって対物レンズ２８Ｂの下降動が規定されて、案内ピン１０６は相対的にＺ軸方向にガイド溝１０４の上端まで変位し、更に第２対物レンズ２８Ｂを軸回転させることにより案内ピン１０６が相対的にガイド溝１０４の横溝部分１０４ｂに沿って移動する。これにより第２対物レンズ２８Ｂを押し下げた退避位置でロックすることができる（図１６）。このようにして第２対物レンズ２８Ｂを押し下げた退避位置では、縦溝部分１０４ａの長さ寸法を例えば７mmに設定したときには、第２対物レンズ２８Ｂがステージ１３の下面と干渉する虞の無い、ステージ１３の下面から十分に離れた位置まで下降した高さ位置、つまり第２対物レンズ２８Ｂの頂部の高さ位置を７mm下げた、第１対物レンズ２８Ａの頂部の高さ位置と略一致した状態となる（図１７）。この縦溝部分１０４ａの長さ寸法つまり第２対物レンズ２８ＢをＺ軸方向に押し下げるストローク長は任意であり、少なくとも、第２対物レンズ２８Ｂを下方位置つまり退避位置に変位させたときに、この第２対物レンズ２８Ｂなどの任意の対物レンズの頂部がステージ１３と干渉しない状態になればよい。
【００５０】
第２対物レンズ２８Ｂの頂部を退避位置から正規の高さ位置まで上昇させるには、第２対物レンズ２８Ｂを軸回転させて案内ピン１０６を相対的に横溝部分１０４ｂから縦溝部分１０４ａに脱却させることにより、第２対物レンズ２８Ｂは圧縮スプリング１０２のバネ力によってＺ軸方向に上昇移動する。この第２対物レンズ２８Ｂの上昇動作は案内ピン１０６が相対的に縦溝部分１０４ａに沿って下降して、この縦溝部分１０４ａの下端に係止することで終わる。この状態では、第２対物レンズ２８Ｂの長さ寸法が第１対物レンズ２８Ａよりも高い分だけ、第２対物レンズ２８Ｂの頂部の高さ位置が第１対物レンズ２８Ａの頂部よりも高くなり、この高さ位置は、第２対物レンズ２８Ｂの本来的な観察高さ位置である。このような対物レンズ２８Ａ、２８Ｂの切り替え作業は、図７に示す標本カバー３を一旦前方に移動させた後に、下部カバー４の前面に沿って下方に移動させることによりステージ１３回りを外部に対して開放した状態で行うことができる。
【００５１】
上述したように、対物レンズの頂部の高さ位置がステージ１３に隣接して配置される第２対物レンズ２８Ｂは、その頂部の高さ位置をＺ軸方向に下降させて退避位置をとることにより対物レンズ２８Ａ、２８Ｂの切り替え操作に伴って第２対物レンズ１３Ｂなどの長尺の対物レンズがステージ１３の下面と干渉するのを的確に防止することができる。すなわち、第２対物レンズ２８Ｂを退避位置まで下降させることで、対物レンズ支持部材７９を水平面内（ステージ１３と平行な平面内）で回動させて、第２対物レンズ２８Ｂから第１対物レンズ２８Ａに切り替える、又は第１対物レンズ２８Ａから第２対物レンズ２８Ｂに切り替えるときに、ステージ１３との間で僅かなクリアランスしかない第２対物レンズ２８Ｂの頂部がステージ１３と干渉するのを防止することができる。図１４に示すように第１対物レンズ２８Ａが選択されたときには、ガイド溝１０４の横溝部分１０４ｂと案内ピン１０６とが係合した、第２対物レンズ２８Ｂを退避位置にロックした状態が維持される（図１６、図１７）。他方、図１８に示すように第２対物レンズ２８Ｂが選択されたときには、第２対物レンズ２８Ｂの頂部を上昇させた観察位置にセットされる（図１８）。このような操作は、実施例では作業者の手動操作に委ねるようにしてあるが、これを電動で行うようにしてもよい。
【００５２】
上記第２対物レンズ２８Ｂのように、その頂部の高さ位置を必要に応じてＺ軸方向に下降させることができるようにしたことから、複数の対物レンズ２８を水平移動させることにより所望の対物レンズを観察位置にセットする方式を採用したとしてもステージ１３と対物レンズの頂部との干渉を的確に防止することができる。また、所望の対物レンズ２８Ａ、２８Ｂを選択する操作が複数の対物レンズ２８Ａ、２８Ｂを水平移動させる方式で行われるため、全ての要素を高密度でケース２の内部に収容したオールインワン形式の実施例の蛍光顕微鏡１のようにステージ１３の回りに空間的な余裕が無い場合であっても複数の対物レンズ２８Ａ、２８Ｂを予め組み込んでおいて必要に応じて対物レンズ２８Ａ、２８Ｂを切替えて使用できる顕微鏡を提供することができる。
【００５３】
特に、実施例のように、対物レンズ２８の下方且つこれに隣接して、複数のフィルタカセット２２を回転させることにより所望のフィルタカセット２２を選択する電動のフィルタカセット切替機構が配設されている場合には、その回りに空間的な余裕が無いため、実施例のように手動で第１、第２の対物レンズ２８Ａ、２８Ｂを切り替え操作する方式を採用するのが現実的な観点から好ましく、特に、蛍光顕微鏡１のケース２を拡大するのを避けるために、第２対物レンズ２８Ｂを回転させた後にＺ軸方向に下降させる操作を手動にするのが好ましい。
【００５４】
上述した実施例において、対物レンズ支持部材７９の先端のレンズ支持部７９ａに設けられた２つの対物レンズ受け入れ構造として、上述した第２対物レンズ２８Ｂの受け入れ構造つまり上下に変位可能な構造を採用して第１、第２の対物レンズ２８Ａ、２８Ｂを共に下降させて退避位置を取り得るようにしてもよい。また、上述した第２対物レンズ２８Ｂの動きを規定する案内ピン１０６とガイド溝１０４の組み合わせに関し、ガイド溝１０４の変形例として、図１９に展開図で図示したガイド溝１０８のように、上端と下端とに水平方向に延びる横溝部分１０８ａ、１０８ｂと、これら上下の横溝部分１０８ａと１０８ｂとを連結する傾斜して上下方向に延びる傾斜溝部分１０８ｃとで構成してもよい。これによれば、第２対物レンズ２８Ｂを回転させる操作を行うことで、第２対物レンズ２８Ｂを上下に変位させた観察位置と退避位置とをとらせることができる。
【００５５】
図２０〜図２２は第２実施例を示す。図２０は、前述した図１４に対応した図であり、対物レンズ支持部材７９を図面に向かって左側に回動させたときの状態を示しており、この状態は第１対物レンズ２８Ａを観察位置にセットした状態にある。この図２０と図１４とを対比すると良く理解できるように、第２対物レンズ２８Ｂの上端部に操作部材１１０が配設され、この操作部材１１０を指で操作することにより第２対物レンズ２８Ｂを観察位置と、この観察位置から下方に変位させた退避位置とをとらせることができる。
【００５６】
図２１、図２２は、第１、第２の対物レンズ２８Ａ、２８Ｂの取付構造を示すものであり、例えば、図２１は、前述した第１実施例の図１６に対応した図である。すなわち、図２１、図２２は、図１６などと同様に、図２０から外部ケースを取り除いた状態で図示してある。
【００５７】
図２１と図２２を参照して、図２１は第２対物レンズ２８Ｂを一方側から見た図であり、図２２はこれを反対側から見た図である。第２対物レンズ２８Ｂを収容する前記円筒状ホルダ１０１は、図１６の第１実施例に比べて上方に延びて、第２対物レンズ２８Ｂの胴部１００の上半分を包囲する延長部分１０１ａを備えた形状を有している。円筒状ホルダ１０１の延長部分１０１ａには、横長の窓１１１が横並びに複数形成されており、この窓１０２を通じて、第２対物レンズ２８Ｂの胴部１００に付されている補正環目盛り１１２を読み取ることができる。このように、補正環目盛り１１２を窓１１１を通じて読み取ることができるため、ホルダ１０１に装着した状態であっても第２対物レンズ２８Ｂの収差を調整することができる。
【００５８】
円筒状ホルダ１０１には、図１９を参照して説明したガイド溝１０８が２つ形成され、図２１、図２２から理解できるように、この２つのガイド溝１０８は互いに対抗した位置に形成されており、各ガイド溝１０８、１０８に、夫々、案内ピン１０６が挿通されている。
【００５９】
上述した操作部材１１０は、ホルダ１０１の延長部分１０１ａの上端部に後付けされている。操作部材１１０は、円筒状ホルダの延長部分１０１ａに装着可能な環状部分１１０ａと、この環状部分１１０ａから径方向外方に延びる操作レバー１１０ｂとを有する。操作部材１１０は、環状部分１１０ａに設けられたボルト孔を通じてネジ１１３を使ってホルダ延長部分１０１ａに固定される。
【００６０】
図２１は、退避位置の第２対物レンズ２８Ｂを示す。この図２１から分かるように、退避位置では、ガイド溝１０８の上端に連なる上側横溝１０８ａに案内ピン１０６が位置して、これにより第２対物レンズ２８Ｂは下方に変位した、ステージ１３から離間した状態の退避位置でロックされる。
【００６１】
図２２は、退避位置から上昇した位置である観察位置の第２対物レンズ２８Ｂを示す。この図２２から分かるように、観察位置では、ガイド溝１０８の下端に連なる下側横溝１０８ｂに案内ピン１０６が位置して、これにより第２対物レンズ２８Ｂは上方に変位した、ステージ１３に接近した状態の観察位置でロックされる。
【００６２】
図２１、図２２を対比すると理解できるように、ガイド溝１０８の傾斜部分１０８ｃの傾斜が、時計方向に下り勾配となるように設定されているため、図示のように操作レバー１１０ｂを反時計方向に押すことで、圧縮スプリング１０２のバネ力の助勢を得ながら第２対物レンズ２８Ｂを退避位置から観察位置（図２２）に上昇動させ且つこの観察位置でロックさせることができる。逆に、操作レバー１１０ａを時計方向に引寄せることで、圧縮スプリング１０２のバネ力に抗して第２対物レンズ２８Ｂを観察位置から退避位置（図２１）まで下降動させ且つこの退避位置でロックさせることができる。したがって、操作レバー１１０ｂに対して時計方向又は反時計方向に回転させる操作を加えるだけで、第２対物レンズ２８Ｂを観察位置まで上昇又は退避位置まで下降させ且つ観察位置又は退避位置でロックさせることできる。
【００６３】
第２対物レンズ２８Ｂを観察位置から退避位置、退避位置から観察位置にＺ軸方向に変位させる操作は、対物レンズ支持部材７９を時計方向に回転させて、この時計方向の回転が、ベースブロック７５の一方のストッパー手段である第２突起８７及び起立壁８８（図１５）によって停止された状態で行われる。したがって、圧縮スプリング１０２のバネ力に抗して第２対物レンズ２８Ｂを退避位置に下降させるために操作レバー１１０ａを時計方向に回転させる操作力は、対物レンズ支持部材７９の第２突起８７が起立壁８８に更に圧接する方向に作用するため、操作力のロスを招くことなく、第２対物レンズ２８Ｂを退避位置までバネ力に抗しながら下方に変位させることができる。
【００６４】
第２実施例においても、前述した第１実施例と同様に、第１対物レンズ２８Ａについてもこれをステージ１３からＺ軸方向に下降させて退避位置をとらせるようにしてもよい。
【図面の簡単な説明】
【００６５】
【図１】実施例の倒立型蛍光顕微鏡の外観図であり、標本カバーを閉じた状態を示す斜視図である。
【図２】実施例の蛍光顕微鏡の使用形態を説明するための図である。
【図３】実施例の蛍光顕微鏡のケースの内部に収容される透過照明系、落射照明系、撮像系、各種電源ユニットの配置を説明するための図である。
【図４】実施例の蛍光顕微鏡の骨格を構成する２分割型シャーシの分解斜視図である。
【図５】透過照明系に含まれる光学ユニットの跳ね上げ機構を組み込んだ透過照明ユニットの斜視図であり、光学ユニットが正規位置にある状態の図である。
【図６】図５に対応した斜視図であり、光学ユニットが跳ね上がった状態を示す図である。
【図７】実施例の蛍光顕微鏡の外観を示す図１に対応した斜視図であり、透過照明光学ユニットが跳ね上がった状態を示す図である。
【図８】ステージの下方且つこれに隣接して配置された対物レンズの切替機構及び対物レンズの微調整機構の概要を示す斜視図である。
【図９】図８の機構の平面図である。
【図１０】図８の機構から対物レンズ支持部材を取り除いて、該対物レンズ支持部材の取付座を構成するベースブロック及びこれに組み込まれたベアリング部を示す斜視図である。
【図１１】実施例の蛍光顕微鏡に組み込まれる２本の対物レンズのうち比較的低倍率の第１対物レンズの側面図である。
【図１２】実施例の蛍光顕微鏡に組み込まれる２本の対物レンズのうち比較的高倍率の第２対物レンズの側面図である。
【図１３】対物レンズ支持部材を時計方向に回転させることにより高倍率の第２対物レンズが観察位置にセットされた状態を説明するための平面図である。
【図１４】対物レンズ支持部材を反時計方向に回転させることにより低倍率の第１対物レンズが観察位置にセットされた状態を説明するための斜視図である。
【図１５】図１３に対応して、高倍率の第２対物レンズを観察位置にセットした状態を示す斜視図である。
【図１６】第２対物レンズの頂部の高さ位置を上げ下げするための主要な構成要素を説明するための図である。
【図１７】対物レンズを切り替えるために第２対物レンズの頂部の高さ位置を下げた状態を示す説明図である。
【図１８】第２対物レンズの頂部の高さ位置を上げて、この第２対物レンズを観察位置にセットした状態を示す説明図である。
【図１９】第２対物レンズの上下変位を案内するガイド溝の変形例を説明するための図である。
【図２０】第２実施例の構成の概要を説明するための、図１４に対応した斜視図である。
【図２１】第２実施例に関する第２対物レンズを上下に変位させる機構を説明するための図１６に対応した図であり、第２対物レンズが退避位置にセットされた状態を示す図である。
【図２２】第２対物レンズが観察位置にセットされた状態を示す図である。
【符号の説明】
【００６６】
１    倒立型蛍光顕微鏡
２    ケース
３    標本カバー
４    下部カバー
１０    明視野透過照明系
１１    落射照明系
１２    撮像系
１３    ステージ
１３ａ  ステージから脱着可能なリングプレート
２２    フィルタカセット
２８    対物レンズ
２８Ａ  低倍率の第１対物レンズ
２８Ｂ  高倍率の第２対物レンズ
７２    対物レンズの高さ位置を微調整するためのステッピングモータ
７４    スライダ
７５    ベースブロック
７７    ベアリング部
７９    対物レンズ支持部材
７９ａ  レンズ支持部
８３    引っ張りバネ
８４    対物レンズ支持部材側の第１支持ピン
８５    ベースブロック側の第２支持ピン
８６    第１対物レンズを観察位置に位置決めするための第１突起
８７    第２対物レンズを観察位置に位置決めするための第２突起
８８    ベースブロックの起立壁
９０    第１調整ボルト
９３    第２調整ボルト
９６    第１永久磁石
９７    第２永久磁石
１００    可動側の受容器
１００ａ  受容器の下端の円周フランジ
１０１    固定側の円筒状ホルダ
１０２    圧縮スプリング
１０４    ガイド溝
１０４ａ  ガイド溝の縦溝部分
１０４ｂ  ガイド溝の横溝部分
１０６    案内ピン
１１０ａ    操作レバー
【図１】
2006337643.tif 000003
【図２】
2006337643.tif 000004
【図３】
2006337643.tif 000005
【図４】
2006337643.tif 000006
【図５】
2006337643.tif 000007
【図６】
2006337643.tif 000008
【図７】
2006337643.tif 000009
【図８】
2006337643.tif 000010
【図９】
2006337643.tif 000011
【図１０】
2006337643.tif 000012
【図１１】
2006337643.tif 000013
【図１２】
2006337643.tif 000014
【図１３】
2006337643.tif 000015
【図１４】
2006337643.tif 000016
【図１５】
2006337643.tif 000017
【図１６】
2006337643.tif 000018
【図１７】
2006337643.tif 000019
【図１８】
2006337643.tif 000020
【図１９】
2006337643.tif 000021
【図２０】
2006337643.tif 000022
【図２１】
2006337643.tif 000023
【図２２】
2006337643.tif 000024